(57)【特許請求の範囲】
【請求項１】
前後胴周り域およびそれら胴周り域の間に位置する股下域を画成するシート部材と、前記股下域から前記前後胴周り域へ向かって延びる吸液性の第１パネルとから構成され、前記シート部材が、前記第１パネルの両側縁の外側を前後方向へ延びるサイドフラップを有し、前記前後方向へ延びる実質的に不透液性の防漏カフが、前記サイドフラップに取り付けられ、前記防漏カフが、前記サイドフラップに固着されて前記前後方向へ延びる固定縁部と、前記固定縁部の上方を前記前後方向へ延びる自由縁部と、横方向外方へ倒伏した状態で前記前後胴周り域に固着された固定両端部とを有し、前記前後方向へ延びる伸縮性弾性部材が、前記防漏カフの自由縁部に伸長状態で取り付けられた使い捨て着用物品において、
透液性シートに包被されて前記前後方向へ延びる吸液性の第２パネルが、前記防漏カフの自由縁部の対向面に取り付けられており、
前記第２パネルは、前記防漏カフの自由縁部の略下半分に固着されて前記前後方向へ延びる固定下部と、前記防漏カフの自由縁部から離間して前記固定下部の上方を前記前後方向へ延びる離間上部と、前記前後胴周り域に位置して横方向内方へ倒伏した固定両端部とを有し、
前記防漏カフの前記自由縁部の前記横方向の長さ寸法が、前記第２パネルの前記横方向の長さ寸法よりも大きく、
前記防漏カフの前記自由縁部が、前記弾性部材の収縮によって前記シート部材の上方へ起立して前記自由縁部の略上半分が前記第２パネルへ向かって倒伏したときに、前記自由縁部の一部が前記第２パネルの前記離間上部から上方へ延出することを特徴とする前記着用物品。
【請求項２】
前記シート部材が、肌当接側に位置する透液性表面シートと、肌非当接側に位置する不透液性裏面シートとから形成され、前記第１パネルが、前記表面シートと前記裏面シートとの間に介在している請求項１に記載の着用物品。
【発明の詳細な説明】
【０００１】
【発明の属する技術分野】
本発明は、排泄物を吸収、保持する使い捨て着用物品に関する。
【０００２】
【従来の技術】
実開平９−１７３３８１号公報は、前胴周り域および後胴周り域と、それら胴周り域の間に位置する股下域とを備え、肌当接側に位置する透液性表面シートと、肌非当接側に位置する不透液性裏面シートと、それらシートの間に介在して股下域から前後胴周り域へ向かって延びる吸液性の第１パネルとから構成され、第１パネルの両側縁の外側を前後方向へ延びる吸液性の第２パネルが股下域に配置され、第２パネルの外側縁の外側を前後方向へ延びる防漏カフが取り付けられたオープン型の使い捨ておむつを開示している。第２パネルは、表面シートと裏面シートとの間に介在している。
【０００３】
このおむつでは、防漏カフが表面シートの上方へ起立することによって、第２パネルの外側縁近傍が上方へわずかに傾斜する。このおむつは、第１パネルの横方向の寸法を小さくしたとしても、股下域に第２パネルが配置されているので、股下域における排泄物の吸収機能が低下せず、さらに、防漏カフが排泄物に対する障壁を形成するので、股下域からの排泄物の横漏れを防ぐことができるという効果を有する。
【０００４】
【発明が解決しようとする課題】
前記公報に開示のおむつは、防漏カフが第２パネルの外側縁から横方向外方へ所与寸法離間した位置に取り付けられているので、防漏カフが表面シートの上方へ起立したとしても、それによって第２パネルが防漏カフと同様に起立するものではなく、第２パネルが排泄物に対する障壁を形成することはない。このおむつでは、起立した防漏カフによって股下域からの排泄物の横漏れを防ぐことはできるが、第１および第２パネルに吸収されずに防漏カフに達した排泄物が防漏カフの対向面に沿って股下域から前後胴周り域へ流動し、排泄物が前後方向ヘ拡散してしまう場合がある。
【０００５】
本発明の課題は、防漏カフとともに吸液性パネルが起立して排泄物に対する障壁を形成し、防漏カフに達した排泄物の前後方向への流動を防ぐことができる使い捨て着用物品を提供することにある。
【０００６】
【課題を解決するための手段】
前記課題を解決するための本発明の前提は、前後胴周り域およびそれら胴周り域の間に位置する股下域を画成するシート部材と、前記股下域から前記前後胴周り域へ向かって延びる吸液性の第１パネルとから構成され、前記シート部材が、前記第１パネルの両側縁の外側を前後方向へ延びるサイドフラップを有し、前記前後方向へ延びる実質的に不透液性の防漏カフが、前記サイドフラップに取り付けられ、前記防漏カフが、前記サイドフラップに固着されて前記前後方向へ延びる固定縁部と、前記固定縁部の上方を前記前後方向へ延びる自由縁部と、横方向外方へ倒伏した状態で前記前後胴周り域に固着された固定両端部とを有し、前記前後方向へ延びる伸縮性弾性部材が、前記防漏カフの自由縁部に伸長状態で取り付けられた使い捨て着用物品である。
【０００７】
前記前提における本発明の特徴は、透液性シートに包被されて前記前後方向へ延びる吸液性の第２パネルが、前記防漏カフの自由縁部の対向面に取り付けられており、前記第２パネルは、前記防漏カフの自由縁部の略下半分に固着されて前記前後方向へ延びる固定下部と、前記防漏カフの自由縁部から離間して前記固定下部の上方を前記前後方向へ延びる離間上部と、前記前後胴周り域に位置して横方向内方へ倒伏した固定両端部とを有し、前記防漏カフの前記自由縁部の前記横方向の長さ寸法が、前記第２パネルの前記横方向の長さ寸法よりも大きく、前記防漏カフの前記自由縁部が、前記弾性部材の収縮によって前記シート部材の上方へ起立して前記自由縁部の略上半分が前記第２パネルへ向かって倒伏したときに、前記自由縁部の一部が前記第２パネルの前記離間上部から上方へ延出する。
【００１０】
本発明の実施の態様の一例としては、前記シート部材が、肌当接側に位置する透液性表面シートと、肌非当接側に位置する不透液性裏面シートとから形成され、前記第１パネルが、前記表面シートと前記裏面シートとの間に介在している。
【００１１】
【発明の実施の形態】
添付の図面を参照し、本発明に係る使い捨て着用物品の詳細をオープン型のおむつを例として説明すると、以下のとおりである。
【００１２】
図１，２は、表面シート２の側から示すおむつ１の部分破断斜視図と、図１のＩ−Ｉ線断面図とであり、図３，４は、図１のＩＩ−ＩＩ線断面図と、図２のＩＩＩ−ＩＩＩ線端面図とである。図１では、横方向を矢印Ｘ、前後方向を矢印Ｙで示し、上下方向を矢印Ｚで示す。図２では、第２パネル１５の一方が横方向内方へ倒伏した状態を仮想線で示す。なお、表面シート２と裏面シート３との内面とは、第１パネル４に対向する面をいい、それらシート２，３の外面とは、第１パネル４に非対向の面をいう。
【００１３】
おむつ１は、肌当接側に位置する透液性表面シート２と、肌非当接側に位置する不透液性裏面シート３と、それらシート２，３の間に介在する吸液性の第１パネル４とを主要な構成部材とする。第１パネル４は、表面シート２と裏面シート３との少なくとも一方の内面に接合されている。
【００１４】
おむつ１は、前後方向に前胴周り域２２および後胴周り域２４と、前後胴周り域２２，２４の間に位置する股下域２３とを有する。おむつ１は、第１パネル４の両端縁４ａの外側を横方向へ延びるエンドフラップ５と、第１パネル４の両側縁４ｂの外側を前後方向へ延びるサイドフラップ６とを有する。おむつ１では、サイドフラップ６が股下域２３において横方向内方へ向かって弧を画いており、その平面形状が砂時計型を呈する。
【００１５】
エンドフラップ５には、横方向へ延びる帯状の胴周り用弾性部材７が伸長状態で取り付けられている。エンドフラップ５には、横方向内方へ収縮した胴周り用弾性部材７によって多数のギャザーが形成されている。サイドフラップ６には、股下域２３を前後方向へ延びる複数条の脚周り用弾性部材８が伸長状態で取り付けられている。サイドフラップ６には、前後方向内方へ収縮した脚周り用弾性部材８によって多数のギャザーが形成されている。サイドフラップ６には、前後方向へ延びる実質的に不透液性の防漏カフ９が取り付けられている。
【００１６】
防漏カフ９は、サイドフラップ６に固着されて前後方向へ延びる固定縁部１０と、固定縁部１０の上方を前後方向へ延びる自由縁部１１と、横方向内方へ倒伏した状態で前後胴周り域２２，２４に固着された固定両端部１２とを有する。防漏カフ９では、固定縁部１０から横方向外方へ側部１３が延びている。自由縁部１１には、前後方向へ延びる伸縮性弾性部材１４が伸長状態で取り付けられている。弾性部材１４は、自由縁部１１の一部に被覆されている。自由縁部１１には、吸液性の第２パネル１５が取り付けられている。
【００１７】
第２パネル１５は、その表面が透液性シート１６に包被され、防漏カフ９の自由縁部１１における対向面を前後方向へ延びている。第２パネル１５は、自由縁部１１の略下半分１１ａに固着されて前後方向へ延びる固定下部１７と、自由縁部１１から離間して固定下部１７の上方を前後方向へ延びる離間上部１８と、前後胴周り域２２，２４に位置して横方向内方へ倒伏した固定両端部１９とを有する。固定両端部１９は、透液性シート１６を介して前後胴周り域２２，２４に固着されている。
【００１８】
おむつ１では、防漏カフ９の自由縁部１１の略上半分１１ｂと第２パネル１５の離間上部１８とが横方向へ離間している。図１では、おむつ１が表面シート２を内側にして前後方向へ湾曲しており、弾性部材１４の前後方向内方への収縮によって防漏カフ９の自由縁部１１が表面シート２の上方へ起立し、自由縁部１１の起立によって第２パネル１５が表面シート２の上方へ起立している。
【００１９】
おむつ１では、防漏カフ９の自由縁部１１の略上半分１１ｂが横方向外方へ傾斜した状態で起立し、防漏カフ９の略下半分１１ａと第２パネル１５とが横方向内方へ傾斜した状態で起立している。おむつ１では、防漏カフ９の自由縁部１１の横方向の長さ寸法Ｌ１が第２パネル１５の横方向の長さ寸法Ｌ２よりも大きく、自由縁部１１の略上半分１１ｂが第２パネル１５へ向かって倒伏したときに、自由縁部１１の一部が第２パネル１５の離間上部１８から上方へ延出する。
【００２０】
おむつ１では、第２パネル１５が排泄物に対する第１の障壁を形成し、第２パネル１５によって排泄物の横漏れを防ぐことができる。第２パネル１５に達した排泄物は、透液性シート１６を透過して第２パネル１５に吸収されるので、排泄物が股下域２３から前後胴周り域２２，２４へ向かって流動することはなく、排泄物の前後方向への拡散を防ぐことができる。
【００２１】
おむつ１では、図２に仮想線で示すように、第２パネル１５が横方向内方へ向かって倒伏し、排泄物が第２パネル１５を乗り越えたとしても、自由縁部１１の略上半分１１ｂが排泄物に対する第２の障壁を形成するので、排泄物の股下域２３における横漏れを確実に防ぐことができる。
【００２２】
おむつ１では、自由縁部１１の略上半分１１ｂが第２パネル１５へ向かって倒伏したとしても、自由縁部１１の一部が第２パネル１５の離間上部１８の上方へ延出するので、第２パネル１５から滲出した排泄物が防漏カフ９の外側へ漏れてしまうことはない。おむつ１では、股下域２３における第１パネル４の横方向の寸法を小さくしたとしても、第２パネル１５が排泄物を吸収するので、股下域２３における排泄物の吸収機能が低下することはない。
【００２３】
おむつ１では、股下域２３における第１パネル４の横方向の寸法が３０〜１５０ｍｍの範囲にあることが好ましく、自由縁部１１の上下方向の長さ寸法Ｌ１と第２パネル１５の上下方向の長さ寸法Ｌ２とが１０〜５０ｍｍの範囲にあることが好ましい。第１パネル４の寸法が３０ｍｍ未満では、第１パネル４における排泄物吸収機能が著しく低下し、股下域２３において排泄物を吸収することが困難になる。第１パネル４の寸法が１５０ｍｍを超過すると、おむつ１を着用したときに、第１パネル４が着用者の股間部において嵩張り、おむつ１の着用時に違和感がある。自由縁部１１と第２パネル１５との長さ寸法Ｌ１，Ｌ２が１０ｍｍ未満では、自由縁部１１と第２パネル１５とが排泄物に対する障壁として十分に機能せず、股下域２３における排泄物の横漏れを防ぐことができない場合がある。
【００２４】
おむつ１では、第２パネル１５の前後方向の長さ寸法が第１パネル４の前後方向のそれと同一、または、第１パネル４の前後方向のそれよりもわずかに短いことが好ましい。
【００２５】
後胴周り域２４には、横方向内方へ延びる一対のテープファスナー２０が取り付けらている。前胴周り域２２の裏面シート３の外面には、テープファスナー２０の止着域となる矩形のターゲットテープ２１が取り付けられている。テープファスナー２０の自由端部２０ａには、粘着剤（図示せず）が塗布され、自由端部２０ａが粘着剤を介して後胴周り域２４に仮着されている。
【００２６】
おむつ１を着用するには、後胴周り域２４のサイドフラップ６を前胴周り域２２のサイドフラップ６の外側に重ね合わせ、テープファスナ２０の自由端部２０ａをターゲットテープ２１に止着し、前後胴周り域２２，２４を連結する。前後胴周り域２２，２４が連結されたおむつ１には、胴周り開口と脚周り開口と（図示せず）が形成される。
【００２７】
エンドフラップ５では、表面シート２の端部２ａと裏面シート３の端部３ａとが重なり合い、それら端部２ａ，３ａの内面どうしが固着されている。胴周り用弾性部材７は、表面シート２の端部２ａと裏面シート３の端部３ａとの間に介在し、それら端部２ａ，３ａの内面に固着されている。エンドフラップ５では、防漏カフ９の固定両端部１２が防漏カフ９の側部１３に固着され、透液性シート１６が横方向内方へ倒伏した状態で表面シート２の外面に固着されている。
【００２８】
サイドフラップ６では、表面シート２の側部２ｂが第１パネル４の両側縁４ｂから横方向外方へわずかに延び、表面シート２の側部２ｂからさらに横方向外方へ裏面シート３の側部３ｂと防漏カフ９の側部１３とが延びている。サイドフラップ６では、透液性シート１６の一部が表面シート２の側部２ｂと防漏カフ９の固定縁部１０との間に介在し、それらに固着されている。サイドフラップ６では、裏面シート３の側部３ｂと防漏カフ９の側部１３とが重なり合い、それら側部３ｂ，１３の内面どうしが固着されている。脚周り用弾性部材８は、裏面シート３の側部３ｂと防漏カフ９の側部１３との間に介在し、それら側部３ｂ，１３の内面に固着されている。
【００２９】
表面シート２や透液性シート１６には、親水性繊維不織布、または、微細な多数の開孔を有する疎水性繊維不織布やプラスチックフィルムを使用することができる。裏面シート３や防漏カフ９には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。
【００３０】
裏面シート３や防漏カフ９には、高い耐水性を有するメルトブローン法による繊維不織布を、高い強度を有しかつ柔軟性に富んだスパンボンド法による繊維不織布で挟んだ複合不織布を使用することもできる。
【００３１】
表裏面シート２，３を形成する不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００３２】
第１および第２パネル４，１５は、フラッフパルプと高吸収性ポリマー粒子との混合物、または、フラッフパルプと高吸収性ポリマー粒子と熱可塑性合成樹脂繊維との混合物であり、所要の厚みに圧縮されている。第１パネル４は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００３３】
表裏面シート２，３の固着、表裏面シート２，３に対する第１パネル４の接合や弾性部材７，８の固着、防漏カフ９の固着には、ホットメルト型接着剤、または、ヒートシールやソニックシール等の熱による溶着手段を利用することができる。
【００３４】
この発明は、オープン型の使い捨ておむつ１の他に、前後胴周り域のサイドフラップがあらかじめ固着されて胴周り開口とそ一対の脚周り開口とが形成されたパンツ型の使い捨ておむつにも実施することができる。
【００３５】
【発明の効果】
本発明に係る使い捨て着用物品によれば、防漏カフの自由縁部に取り付けられた吸液性の第２パネルが自由縁部とともに起立して排泄物に対する障壁を形成し、第２パネルによって排泄物の横漏れを防ぐことができる。この着用物品では、第２パネルに達した排泄物が第２パネルに吸収されるので、排泄物が股下域から前後胴周り域ヘ向かって流動することはなく、排泄物の前後方向への拡散を防ぐことができる。
【００３６】
第２パネルの離間上部が防漏カフの自由縁部から離間している着用物品では、第２パネルが排泄物に対する第１の障壁を形成し、第２パネルが排泄物を吸収しつつ、股下域における排泄物の横漏れを防ぐことはもちろんのこと、たとえ第２パネルが横方向内方へ倒伏して排泄物が第２パネルを乗り越えたとしても、防漏カフの略上半分が排泄物に対する第２の障壁を形成するので、排泄物の股下域における横漏れを確実に防ぐことができる。
【００３７】
防漏カフの自由縁部の上下方向の長さ寸法が第２パネルの上下方向の長さ寸法よりも大きい着用物品では、防漏カフの自由縁部の略上半分が第２パネルへ向かって倒伏したとしても、自由縁部の一部が第２パネルの離間上部の上方へ延出するので、第２パネルから滲出した排泄物が防漏カフの外側へ漏れてしまうことはない。
【図面の簡単な説明】
【図１】表面シートの側から示すおむつの部分破断斜視図。
【図２】図１のＩ−Ｉ線断面図。
【図３】図１のＩＩ−ＩＩ線断面図。
【図４】図１のＩＩＩ−ＩＩＩ線端面図。
【符号の説明】
１            オープン型の使い捨ておむつ（使い捨て着用物品）
２            透液性表面シート（シート部材）
３            不透液性裏面シート（シート部材）
４            第１パネル
４ｂ          両側縁
６            サイドフラップ
９            防漏カフ
９ａ          対向面
１０            固定縁部
１１            自由縁部
１２            固定両端部
１４            弾性伸縮性部材
１５            第２パネル
１６            透液性シート
１７            固定下部
１８            離間上部
１９            固定両端部
２２            前胴周り域
２３            股下域
２４            後胴周り域
Ｌ１            長さ寸法
Ｌ２            長さ寸法
【図１】
0004599000.tif 000002
【図２】
0004599000.tif 000003
【図３】
0004599000.tif 000004
【図４】
0004599000.tif 000005